(57)【要約】【課題】  通信システムにおいて、着信側端末が電源オフ又は通信圏外であるときに、発信側と着信側とが共に留守番電話サービスに加入していない場合でも、着信があったことを着信側端末へ通知する。【解決手段】  端末１０が着信応答不可で且つ留守番電話サービスの対象外である場合に、ショートメッセージ送信問合せ手段２２が、着信を通知するショートメッセージを着信側端末１０へ送信するか否かの問合せ情報を発信側端末５０へ送信し、これに対する応答がショートメッセージの送信許可を示す場合に、ショートメッセージ配信手段２３が、着信通知ショートメッセージを着信側端末１０へ送信する。【選択図】図２
2008219816.tif 000002
【特許請求の範囲】
【請求項１】
端末間の通信又は通話を制御する交換機システムにおいて、
発信側端末から着信側端末への呼を受信しその着信側端末が着信応答可能か否かを判定する着信側状況判定手段と、当該着信側端末が留守番電話サービス加入者リストに登録されているか否かを判定する留守番電話サービス接続判断手段と、前記着信側端末が着信応答不可で且つ前記留守番電話サービス加入者リスト未登録であると判定された場合に着信を通知するショートメッセージを前記着信側端末へ送信するか否かを問い合わせるための問合せ情報を前記発信側端末へ送信するショートメッセージ送信問合せ手段と、前記問合せ情報に対する前記発信側端末からの応答がショートメッセージの送信許可を示す場合に前記ショートメッセージを前記着信側端末へ送信するショートメッセージ配信手段とを備えたことを特徴とする交換機システム。
【請求項２】
前記請求項１に記載の交換機システムにおいて、
前記ショートメッセージが前記着信側端末に受信されたか否かを確認する送達確認手段を備えると共に、前記ショートメッセージ配信手段が、前記送達確認手段によって前記着信側端末の受信が確認されるまで繰り返し前記ショートメッセージを前記着信側端末へ送信することを特徴とする交換機システム。
【請求項３】
前記請求項２に記載の交換機システムにおいて、
前記送達確認手段によって前記着信側端末の受信が確認された場合に、前記ショートメッセージ配信に応じた課金情報を、前記発信側端末への課金として記録する課金情報記憶手段を備えたことを特徴とする交換機システム。
【請求項４】
端末間の通信又は通話を制御する交換機システムによる着信通知方法において、
発信側端末から着信側端末への呼を受信する発信呼受信ステップと、
前記着信側端末が着信応答可能か否かを判定すると共に当該着信側端末が留守番電話サービス加入者リストに登録されているか否かを判定する留守番電話サービス接続判断ステップと、
前記留守番電話サービス接続判断ステップにより前記着信側端末が着信応答不可で且つ留守番電話サービス加入者リスト未登録であると判定された場合に、着信を通知するショートメッセージを前記着信側端末へ送信するか否かを前記発信側端末へ問い合わせるショートメッセージ送信問合せステップと、
この問合せに対する前記発信側端末からの応答が前記ショートメッセージの送信許可を示す場合に、前記ショートメッセージを前記着信側端末へ送信するショートメッセージ配信ステップとを設けたことを特徴とする着信通知方法。
【請求項５】
前記請求項４に記載の着信通知方法において、
前記ショートメッセージが前記着信側端末に受信されたか否かを確認する送達確認ステップを設け、前記ショートメッセージ配信ステップでは、前記送達確認ステップにより前記着信側端末の受信が確認されるまで繰り返し前記ショートメッセージを前記着信側端末へ送信することを特徴とする着信通知方法。
【請求項６】
前記請求項５に記載の着信通知方法において、
前記送達確認ステップにより前記着信側端末の受信が確認された場合に、前記ショートメッセージ配信に応じた課金情報を、前記発信側端末への課金として記録する課金情報記憶ステップを設けたことを特徴とする着信通知方法。
【請求項７】
端末間の通信又は通話を制御する交換機システムにあって、
発信側端末からの呼を受信する発信呼受信処理と、この受信された呼が示す着信側端末が着信応答可能か否かを判定すると共に当該着信側端末が予め記憶された留守番電話サービス加入者リストに登録されているか否かを判定する留守番電話サービス接続判断処理と、前記留守番電話サービス接続判断処理により前記着信側端末が着信応答不可で且つ留守番電話サービス加入者リスト未登録であると判定された場合に着信を通知するショートメッセージを前記着信側端末へ送信するか否かを問い合わせるための問合せ情報を前記発信側端末へ送信するショートメッセージ送信問合せ処理と、前記問合せ情報に対する前記発信側端末からの応答としてショートメッセージの送信許可を示す情報を受信した場合に前記ショートメッセージを前記着信側端末へ送信するショートメッセージ配信処理とをコンピュータに実行させることを特徴とする着信通知用プログラム。
【請求項８】
前記請求項７に記載の着信通知用プログラムにおいて、
前記ショートメッセージが前記着信側端末に受信されたか否かを確認する送達確認処理と共に、前記ショートメッセージ配信処理を、前記送達確認処理により前記着信側端末の受信が確認されるまで繰り返し前記ショートメッセージを前記着信側端末へ送信するように内容を特定して前記コンピュータに実行させることを特徴とする着信通知用プログラム。
【請求項９】
前記請求項８に記載の着信通知用プログラムにおいて、
前記送達確認処理により前記着信側端末の受信が確認された場合に、前記ショートメッセージ配信に応じた課金情報を、前記発信側端末への課金として記録する課金情報記憶処理を前記コンピュータに実行させることを特徴とする着信通知用プログラム。
【発明の詳細な説明】
【技術分野】
【０００１】
本発明は、交換機システム，着信通知方法及び着信通知用プログラムに関する。
【背景技術】
【０００２】
従来、移動通信システムにおいて、着信側移動端末が電源オフ又は通信圏外状態の場合は、着信側移動端末のユーザが加入している留守番電話サービスを利用して、発信側移動端末ユーザの着信側ユーザへの伝言を残すことが可能である。また、留守番電話センタに蓄積された伝言件数などの着信履歴をショートメッセージ（以下ＳＭと表記）で着信側端末に通知するショートメッセージサービス（ＳＭサービス）がある。
【０００３】
しかし、このようなシステムでは、着信側移動端末が留守番電話サービスに加入していない場合に伝言を一切残すことができないので、再度発信側から発信し直すか、発信側端末のメール作成機能を起動し電子メールを作成するなど、煩わしい動作を発信側ユーザに強いることになり、発信側ユーザにとって利便性に欠けるという課題があった。
【０００４】
この課題を鑑みて、発信側が留守番電話サービスに加入していれば、その発信者の留守番電話サービスを利用して伝言を記録し、着信側にその旨を通知するシステムが特許文献１及び２に開示されている。
【０００５】
【特許文献１】特開平９‐１２１２４９号公報
【特許文献２】特開２００１‐２０４０７８号公報
【発明の開示】
【発明が解決しようとする課題】
【０００６】
しかしながら、特許文献１及び２に開示されたシステムは、発信側が留守番電話サービスに加入していることが前提であり、発信側と着信側とが共に留守番電話サービスに加入していない場合には、伝言を一切残すことができず、当然ショートメッセージサービスも利用できない。このため、留守番電話サービスに加入していない発信側ユーザは、やはり再度発信し直すか、発信側端末のメール作成機能を利用して電子メールによる情報伝達を行うなど、煩わしい作業を行わなければならないという不都合があった。
【０００７】
そこで、本発明は、上記従来技術の不都合を改善し、通信システムにおいて、着信側端末が着信応答しなかった場合に、発信側と着信側とが共に留守番電話サービスに加入していなくても、着信側端末に対して着信があったことを通知することを、その目的とする。
【課題を解決するための手段】
【０００８】
上記目的を達成するため、本発明の交換機システムは、端末間の通信又は通話を制御する交換機システムであり、発信側端末から着信側端末への呼を受信しその着信側端末が着信応答可能か否かを判定する着信側状況判定手段と、当該着信側端末が留守番電話サービス加入者リストに登録されているか否かを判定する留守番電話サービス接続判断手段と、着信側端末が着信応答不可で且つ留守番電話サービス加入者リスト未登録であると判定された場合に着信を通知するショートメッセージを着信側端末へ送信するか否かを問い合わせるための問合せ情報を発信側端末へ送信するショートメッセージ送信問合せ手段と、問合せ情報に対する発信側端末からの応答がショートメッセージの送信許可を示す場合にショートメッセージを着信側端末へ送信するショートメッセージ配信手段とを備えたことを特徴とする。
【０００９】
このような交換機システムによれば、着信側移動端末が電源オフ又は通信圏外状態の場合、着信を通知するショートメッセージを着信側端末へ送信するか否か発信側に問い合わせ、許可を確認した段階でショートメッセージを着信側に送信するので、発信側と着信側とが共に留守番電話サービスに加入していなくても、着信側端末に対して電源オフ又は通信圏外状態中に着信があったことを通知することができる。
【００１０】
また、上記の交換機システムにおいて、ショートメッセージが着信側端末に受信されたか否かを確認する送達確認手段を備えると共に、ショートメッセージ配信手段が、送達確認手段によって着信側端末の受信が確認されるまで繰り返しショートメッセージを着信側端末へ送信するようにしてもよい。
【００１１】
このようにすると、発信側と着信側とが共に留守番電話サービスに加入していなくても、着信側端末に対して電源オフ又は通信圏外状態中に着信があったことを確実に通知することができる。
【００１２】
また、上記の交換機システムにおいて、上述した送達確認手段によって着信側端末の受信が確認された場合に、ショートメッセージ配信に応じた課金情報を、発信側端末への課金として記録する課金情報記憶手段を備えてもよい。このようにすると、ショートメッセージサービスの料金はその使用に応じて発信側端末に対して課金することが可能となる。
【００１３】
次に、本発明の着信通知方法は、端末間の通信又は通話を制御する交換機システムによる着信通知方法であって、発信側端末から着信側端末への呼を受信する発信呼受信ステップと、着信側端末が着信応答可能か否かを判定すると共に当該着信側端末が留守番電話サービス加入者リストに登録されているか否かを判定する留守番電話サービス接続判断ステップと、留守番電話サービス接続判断ステップにより着信側端末が着信応答不可で且つ留守番電話サービス加入者リスト未登録であると判定された場合に、着信を通知するショートメッセージを着信側端末へ送信するか否かを発信側端末へ問い合わせるショートメッセージ送信問合せステップと、この問合せに対する発信側端末からの応答がショートメッセージの送信許可を示す場合に、ショートメッセージを着信側端末へ送信するショートメッセージ配信ステップとを設けたことを特徴とする。
【００１４】
また、上記の着信通知方法において、ショートメッセージが着信側端末に受信されたか否かを確認する送達確認ステップを設け、ショートメッセージ配信ステップでは、送達確認ステップにより着信側端末の受信が確認されるまで繰り返しショートメッセージを着信側端末へ送信してもよい。
【００１５】
また、上記の着信通知方法において、上述した送達確認ステップにより着信側端末の受信が確認された場合に、ショートメッセージ配信に応じた課金情報を、発信側端末への課金として記録する課金情報記憶ステップを設けてもよい。
【００１６】
このような着信通知方法によれば、上述した交換機システムと同様に、発信側と着信側とが共に留守番電話サービスに加入していなくても、着信側端末に対して電源オフ又は通信圏外状態中に着信があったことを通知することができ、ショートメッセージサービスの料金はその使用に応じて発信側端末に対して課金することができる。
【００１７】
次に、本発明の着信通知用プログラムは、端末間の通信又は通話を制御する交換機システムにあって、発信側端末から着信側端末への呼を受信する発信呼受信処理と、着信側端末が着信応答可能か否かを判定すると共に当該着信側端末が予め記憶された留守番電話サービス加入者リストに登録されているか否かを判定する留守番電話サービス接続判断処理と、留守番電話サービス接続判断処理により着信側端末が着信応答不可で且つ留守番電話サービス加入者リスト未登録であると判定された場合に着信を通知するショートメッセージを着信側端末へ送信するか否かを問い合わせるための問合せ情報を発信側端末へ送信するショートメッセージ送信問合せ処理と、問合せ情報に対する発信側端末からの応答としてショートメッセージの送信許可を示す情報を受信した場合にショートメッセージを着信側端末へ送信するショートメッセージ配信処理とをコンピュータに実行させることを特徴とする。
【００１８】
また、上記の着信通知用プログラムにおいて、ショートメッセージが着信側端末に受信されたか否かを確認する送達確認処理と共に、ショートメッセージ配信処理を、送達確認処理により着信側端末の受信が確認されるまで繰り返しショートメッセージを着信側端末へ送信するように内容を特定してコンピュータに実行させてもよい。
【００１９】
また、上記の着信通知用プログラムにおいて、
送達確認処理により着信側端末の受信が確認された場合に、ショートメッセージ配信に応じた課金情報を、発信側端末への課金として記録する課金情報記憶処理をコンピュータに実行させることを特徴とする着信通知用プログラム。
【００２０】
このような着信通知用プログラムによれば、上述した交換機システム及び着信通知方法と同様に、発信側と着信側とが共に留守番電話サービスに加入していなくても、着信側端末に対して電源オフ又は通信圏外状態中に着信があったことを通知することができ、ショートメッセージサービスの料金はその使用に応じて発信側端末に対して課金することができる。
【発明の効果】
【００２１】
本発明は以上のように構成され機能するため、これにより、着信側移動端末が電源オフ又は通信圏外にある場合、着信を通知するショートメッセージを着信側端末へ送信するか否か発信側に問い合わせ、許可を確認した段階でショートメッセージを着信側に送信できる。
【００２２】
よって、その都度発信側に問い合わせてショートメッセージを送信するため、発信側と着信側とが共に留守番電話サービスに加入していなくても、着信側端末に対して電源オフ又は通信圏外状態中に着信があったことを通知することができる。また、ショートメッセージの送信は発信側の意思で実行される事から、ショートメッセージサービスの料金は発信側端末に対しその利用に応じて課金することが可能となる。
【発明を実施するための最良の形態】
【００２３】
以下、本発明における一実施形態を、図面を参照して説明する。
【００２４】
図１は、本発明にかかる第１実施形態のシステム全体の構成を示す図である。
【００２５】
本第１実施形態のシステムは、図１に示すように、移動端末１０及び５０と交換機システム１とが、移動通信網５及び６を介して接続された構成である。本第１実施形態における交換機システム１は、端末間の接続やサービスなどを制御する移動通信交換センタ（ＭＳＣ：Ｍｏｂｉｌｅ  Ｓｗｉｔｃｈｉｎｇ  Ｃｅｎｔｅｒ）２と、留守番電話サービスを提供する留守番電話センタ３と、ショートメッセージサービスを提供するショートメッセージサービスセンタ（ＳＭサービスセンタ）４とで構成されている。本第１実施形態においては、端末１０を着信側とし端末５０を発信側とする。
【００２６】
通常、ＭＳＣ２は、移動通信網５又は６にある図示しない基地局と外部ネットワークとに接続しており、基地局に無線接続した移動端末からの呼を転送することで、端末間の呼接続制御やサービス制御を行っている。
【００２７】
図２は、図１に示す本第１実施形態における交換機システム１の構成を示すブロック図である。本第１実施形態におけるＭＳＣ２は、移動通信網５及び６と留守番電話センタ３とＳＭサービスセンタ４との通信を担う通信部２Ａと、主制御部２Ｂと、メモリ２Ｃとを備えている。
【００２８】
ＭＳＣ２の主制御部２Ｂは、発信側端末５０から着信側端末１０への呼を受信し着信側端末１０が着信応答可能か否かを判定する着信側状況判定手段２０と、着信側端末１０がメモリ２Ｃに記憶された留守番電話サービス加入者リストに登録されているか否かを判定する留守番電話サービス接続判断手段２１と、留守番電話サービス接続判断手段２１により着信側端末１０が着信応答不可で且つ留守番電話サービスの対象外であると判定された場合に着信を通知するショートメッセージを着信側端末１０へ送信するか否かを問い合わせるための問合せ情報を発信側端末５０へ送信するＳＭ送信問合せ手段２２と、この問合せ情報に対する発信側端末５０からの応答がショートメッセージの送信許可を示す場合にショートメッセージを着信側端末１０へ送信するＳＭ配信手段２３と、ショートメッセージが着信側端末１０に受信されたか否かを確認する送達確認手段２４と、送達確認手段２４によって着信側端末１０の受信が確認された後にショートメッセージ配信に応じた課金情報を発信側端末５０への課金としてメモリ２Ｃに記録する課金情報記憶手段２５とを備えて構成されている。
【００２９】
図２に示す着信側状況判定手段２０は、発信側端末５０からの発信呼が示す着信側端末１０が着信応答可能か否かを判定し、着信側端末１０が着信応答可能であれば発信呼を着信側端末１０へ転送し、着信側端末１０が着信応答不可であれば留守番電話サービス接続判断手段２１に判定を指示する機能を備えている。
【００３０】
留守番電話サービス接続判断手段２１は、着信側状況判定手段２０の指示に従って、メモリ２Ｃに記憶された留守番電話サービス加入者リストを参照して当該着信側端末１０が留守番電話サービス加入者リストに登録されているか否かを判定する機能を備えている。そして、着信側端末１０が留守番電話サービス加入者リストに登録されていれば、発信側端末５０からの発信呼を留守番電話センタ３へ転送し、着信側端末１０が留守番電話サービス加入者リスト未登録の場合は、ＳＭ送信問合せ手段２２に発信側端末５０への問合せを指示する機能を備えている。
【００３１】
ＳＭ送信問合せ手段２２は、留守番電話サービス接続判断手段２１からの指示に従って、着信があった旨を通知するショートメッセージを着信側端末１０へ送信するか否かを問い合わせるための問合せ情報を発信側端末５０へ送信する機能を備えている。この問合せ情報は、音声によるものである。
【００３２】
このように、着信側端末１０が着信応答不可で且つ留守番電話サービスの対象外である場合に、その都度発信側端末５０に対してショートメッセージ送信の有無を問い合わせることで、発信側端末５０が留守番電話サービスに加入しているかいないかに関係なく、ショートメッセージサービスを提供できる。
【００３３】
また、ＳＭ送信問合せ手段２２は、問合せ情報に対する発信側端末５０からの応答を受信し、その応答がショートメッセージサービスを利用しないことを示す場合は動作を終了し、応答がショートメッセージの送信許可を示す情報である場合、ＳＭ配信手段２３にショートメッセージ配信の指示をする機能を備えている。
【００３４】
図２に示すＳＭ配信手段２３は、ＳＭ送信問合せ手段２２の指示に従って、ショートメッセージの配信をＳＭサービスセンタ４に要求する機能を備え、ＳＭサービスセンタ４から送信されたショートメッセージを着信側端末１０へ転送する機能を備えている。また、ＳＭ配信手段２３は、送達確認手段２４によって着信側端末１０のショートメッセージ受信が確認されるまで、ショートメッセージの再送を繰り返す機能を備えている。
【００３５】
課金情報記憶手段２５は、送達確認手段２４によって着信側端末１０のショートメッセージ受信が確認されたら、そのショートメッセージ配信に応じた課金情報を発信側端末５０への課金として記録する機能を備えている。上述したように、ショートメッセージの送信は発信側の意思で実行される事から、ショートメッセージサービスの料金は発信側端末５０に対して課金することが可能となる。
【００３６】
ここで、上述した着信側状況判定手段２０，留守番電話サービス接続判断手段２１，ＳＭ送信問合せ手段２２，ＳＭ配信手段２３，送達確認手段２４，課金情報記憶手段２５については、その機能内容をプログラム化しコンピュータに実行させるように構成してもよい。
【００３７】
次に、本第１実施形態の動作について説明する。図３は、本第１実施形態のシステム全体の動作を示すシーケンス図である。ここで、着信通知方法についてもその各工程を示して同時に説明する。
【００３８】
まず、図３のステップＢ１に示すように、発信側端末５０から着信側端末１０に対して呼が発信される（発信呼受信ステップ）。ＭＳＣ２に発信側端末５０からの発信呼が受信されると、図３のステップＡ１に示すように、着信側状況判定手段２０により着信側端末１０が着信応答可能か否かの判定が実施される。着信側端末１０が着信応答可能であれば発信側端末５０からの呼が着信側端末１０へ転送される。
【００３９】
着信側端末１０が着信応答不可と判定された場合、すなわち、着信側端末１０が電源オフ又は通信圏外にある場合は、図３のステップＡ２に示すように、留守番電話サービス接続判断手段２１により着信側端末１０が留守番電話サービス加入者リストに登録されているか否か判定される（留守番電話サービス接続判断ステップ）。着信側端末１０が留守番電話サービス対象であれば発信側端末５０からの呼が留守番電話センタ３に接続される。
【００４０】
着信側端末１０が留守番電話サービス対象外の場合、図３のステップＡ３に示すように、着信側端末１０が圏外又は電源オフであることが発信側端末５０へ通知される。続いて、図３のステップＡ４に示すように、着信側端末１０に対して発信側端末５０から呼があった旨をショートメッセージを用いて通知するサービスを使用するか否かを問い合わせるための問合せ情報が発信側端末５０へＳＭ送信問合せ手段２２から送信される（ショートメッセージ送信問合せステップ）。
【００４１】
問合せ情報を受信した発信側端末５０のユーザによりサービスを使用するか否かが判断され、図３のステップＢ２に示すように、その判断結果がユーザによるキー入力や音声等によって発信側端末５０から問合せ情報に対する応答として送信される。そして、図３のステップＡ５に示すように、ＳＭ送信問合せ手段２２により発信側端末５０からの応答内容が判断され、サービスを利用しない応答と判断されれば終了となる。
【００４２】
サービスを利用する応答であれば、図３のステップＡ６に示すように、ＳＭ配信手段２３によりショートメッセージの送信要求がＳＭサービスセンタ４に要求される。そして、図３のステップＣ１に示すように、ＳＭサービスセンタ４からＳＭ配信手段２３を経由して着信側端末１０へ着信通知ショートメッセージが送信される（ショートメッセージ配信ステップ）。この時、送達確認手段２４によりショートメッセージが着信側端末１０に受信されたか否かが確認され、図３のステップＣ１〜Ｃ３に示すように、受信が確認されるまで、ＳＭ配信手段２３により着信通知ショートメッセージが再送し続けられる。
【００４３】
そして、図３のステップＤ１に示すように、着信不可になっていた着信側端末１０が電源オン又は圏内に入り着信可能となると、図３のステップＤ２に示すように、着信側端末１０にショートメッセージが受信され、発信側端末５０からの着信を認識した着信側端末１０のユーザの操作により、着信側端末１０から発信側端末５０へ発信を行うことが可能となる。
【００４４】
さらに、図３のステップＡ７に示すように、送達確認手段２４によりショートメッセージの受信が確認されると（送達確認ステップ）、図３のステップＡ８において、課金情報記憶手段２５によりショートメッセージ配信に応じた課金情報が発信側端末５０への課金としてメモリ２Ｃに記録される（課金情報記憶ステップ）。
【００４５】
本第１実施形態の交換機システム１は上記のように動作するため、着信側端末１０が電源オフ又は通信圏外の場合に、発信側と着信側とが共に留守番電話サービスに加入していなくても、着信側端末１０に対して着信のあった旨をショートメッセージで通知することができる。また、ショートメッセージの送信は発信側の意思で実行される事から、ショートメッセージサービスの料金は発信側端末５０に対しその使用に応じて課金することが可能となる。
【００４６】
ここで、本第１実施形態の交換機システムは、移動体通信システム内に適用されているが、これに限らず、電源オフ又は通信圏外状態中に着信があったことを着信側端末に通知するシステムであれば、固定電話やＩＰ電話のシステムに適用してもよい。
【００４７】
次に、本発明にかかる第２実施形態について説明する。
【００４８】
図４は、本第２実施形態のシステムの全体構成を示す図である。図５は、本第２実施形態における交換機システム７の構成を示す図である。図４及び図５において、図１及び図2に示す第１実施形態と同様の構成要件には同一の符号を付して示してある。
【００４９】
図４に示すように本第２実施形態は、図１に示す第１実施形態と同様に、移動端末１０及び５０と交換機システム７とが、移動通信網５及び６を介して接続された構成であり、この交換機システム７は、移動通信交換センタ（ＭＳＣ）２と、留守番電話センタ３と、ショートメッセージサービスセンタ（ＳＭサービスセンタ）４とで構成されている。本第２実施形態においても、端末１０を着信側とし端末５０を発信側とする。
【００５０】
図５に示すように、本第２実施形態における交換機システム７は、ショートメッセージ配信手段２３，送達確認手段２４，課金情報記憶手段２５を留守番電話センタ３の主制御部３Ａに装備したことが上述した第１実施形態と異なる構成である。
【００５１】
図６は、本第２実施形態のシステム全体の動作について示すシーケンス図である。図６に示すように、本第２実施形態の全体動作は、ショートメッセージ配信手段２３，送達確認手段２４，課金情報記憶手段２５の動作を留守番電話センタ３が実行することが、図３に示す第１実施形態の動作と異なる。
【００５２】
このような本第２実施形態の交換機システム７でも、第１実施形態における交換機システム１と同様に、発信側と着信側とが共に留守番電話サービスに加入していなくても、着信側端末に対して電源オフ又は通信圏外状態中の着信について通知することができる。また、着信を通知するショートメッセージの送信は発信側の意思で実行される事から、ショートメッセージサービスの料金は発信側端末５０に対しその使用に応じて課金することが可能となる。
【００５３】
ここで、上述した第１および２実施形態においては、ショートメッセージサービスの料金を発信側端末５０に対して課金しているが、発信側と着信側とが共に留守番電話サービスに加入していなくても、着信側端末に対して電源オフ又は通信圏外状態中の着信について通知することができれば、これに限らず、ショートメッセージサービスの料金を無料とするようにシステムを構築してもよい。
【図面の簡単な説明】
【００５４】
【図１】本発明にかかる第１実施形態のシステムの全体構成を示す図である。
【図２】図１に開示した実施形態におけるＭＳＣの構成を示すブロック図である。
【図３】図１に開示した実施形態のシステム全体の動作を示すシーケンス図である。
【図４】本発明にかかる第２実施形態のシステムの全体構成を示す図である。
【図５】図３に開示した実施形態におけるＭＳＣの構成を示すブロック図である。
【図６】図３に開示した実施形態のシステム全体の動作を示すシーケンス図である。
【符号の説明】
【００５５】
１  交換機システム
２  ＭＳＣ
２Ａ  通信部
２Ｂ  主制御部
２Ｃ  メモリ
３  留守番電話サービスセンタ
３Ａ  通信部
３Ｂ  主制御部
３Ｃ  メモリ
４  ＳＭサービスセンタ
５，６  移動通信網
１０  着信側端末
２１  留守番電話サービス接続判断手段
２２  ＳＭ送信問合せ手段
２３  ＳＭ配信手段
２４  送達確認手段
２５  課金情報記憶手段
５０  発信側端末
【図１】
2008219816.tif 000003
【図２】
2008219816.tif 000004
【図３】
2008219816.tif 000005
【図４】
2008219816.tif 000006
【図５】
2008219816.tif 000007
【図６】
2008219816.tif 000008